(57)【要約】【課題】ＯＦＤＭ復調装置におけるクロック周波数同期について、伝送路環境変動への追従性能及び同期引き込み性能を向上すること。【解決手段】ＯＦＤＭ信号の伝送シンボル境界を推定しシンボルタイミング信号を生成する第１のシンボルタイミング生成部と、周波数誤差を推定するクロック周波数誤差推定部と、クロック周波数誤差に基づき発振周波数の制御を行う第１のクロック発生部と、所定クロック間隔でシンボルタイミング信号を生成する第２のシンボルタイミング生成部と、第１及び第２のシンボルタイミング生成部により生成されたシンボルタイミング信号の時間誤差を算出する時間誤差算出部と、時間誤差に基づき発振周波数の制御を行う第２のクロック発生部と、直交検波部の出力をメモリに書込みメモリからデータを読出すＦＩＦＯメモリ部と、ＦＩＦＯメモリ部の出力をフーリエ変換するフーリエ変換部を備える。【選択図】図１
2005322955.tif 000002
【特許請求の範囲】
【請求項１】
有効シンボル区間Ｔｕとガードインターバル区間Ｔｇからなる伝送シンボルにより構成されるＯＦＤＭ信号を受信し、復調を行うＯＦＤＭ復調装置であって、
前記ＯＦＤＭ信号を定められた基底周波数帯域に変換する直交検波部と、
前記直交検波部の出力より前記ＯＦＤＭ信号の伝送シンボル境界を推定し、シンボルタイミング信号を生成する第１のシンボルタイミング生成部と、
前記直交検波部の出力及び前記第１のシンボルタイミング生成部の出力に基づいて、サンプリングクロック周波数誤差を推定するクロック周波数誤差推定部と、
前記クロック周波数誤差推定部により推定されたクロック周波数誤差に基づき発振周波数の制御を行う第１のクロック発生部と、
定められた一定のクロック間隔でシンボルタイミング信号を生成する第２のシンボルタイミング生成部と、
前記第１のシンボルタイミング生成部により生成されたシンボルタイミングと前記第２のシンボルタイミング生成部により生成されたシンボルタイミング信号の時間誤差を算出する時間誤差算出部と、
前記時間誤差算出部により算出された時間誤差に基づき発振周波数の制御を行う第２のクロック発生部と、
前記第１のクロック発生部により生成されたクロックタイミングにおいて、前記直交検波部の出力を順次メモリに書き込み、前記第２のクロック発生部により生成されたクロックタイミングにおいて、前記メモリから順次データを読み出すＦＩＦＯ（Ｆｉｒｓｔ−Ｉｎ  Ｆｉｒｓｔ−Ｏｕｔ）メモリ部と、
前記ＦＩＦＯメモリ部の出力を前記第２のシンボルタイミング生成部により生成されたシンボルタイミングに基づいてフーリエ変換を行うフーリエ変換部を具備することを特徴とするＯＦＤＭ復調装置。
【請求項２】
有効シンボル区間Ｔｕとガードインターバル区間Ｔｇからなる伝送シンボルにより構成されるＯＦＤＭ信号を受信し、復調を行うＯＦＤＭ復調装置であって、
前記ＯＦＤＭ信号を定められた基底周波数帯域に変換する直交検波部と、
前記直交検波部の出力より前記ＯＦＤＭ信号の伝送シンボル境界を推定し、シンボルタイミング信号を生成する第１のシンボルタイミング生成部と、
第１のクロック発生部と、
定められた一定のクロック間隔でシンボルタイミング信号を生成する第２のシンボルタイミング生成部と、
前記第１のシンボルタイミング生成部により生成されたシンボルタイミングと前記第２のシンボルタイミング生成部により生成されたシンボルタイミング信号の時間誤差を算出する時間誤差算出部と、
前記時間誤差算出部により算出された時間誤差に基づき発振周波数の制御を行う第２のクロック発生部と、
前記第１のクロック発生部により生成されたクロックタイミングにおいて、前記直交検波部の出力を順次メモリに書き込み、前記第２のクロック発生部により生成されたクロックタイミングにおいて、前記メモリから順次データを読み出すＦＩＦＯ（Ｆｉｒｓｔ−Ｉｎ  Ｆｉｒｓｔ−Ｏｕｔ）メモリ部と、
前記ＦＩＦＯメモリ部の出力を前記第２のシンボルタイミング生成部により生成されたシンボルタイミングに基づいてフーリエ変換を行うフーリエ変換部と、
前記フーリエ変換部の出力より、サンプリングクロック周波数誤差を推定するクロック周波数誤差推定部を具備し、
前記第１のクロック発生部は、前記周波数誤差推定部の出力に基づき発振周波数を制御することを特徴とするＯＦＤＭ復調装置。
【請求項３】
前記ＦＩＦＯメモリ部は、前記ガードインターバル区間Ｔｇにおいて、データの書き込みを停止、若しくは、データの読み出しを停止し、前記メモリに蓄積されるデータ量を調整することを特徴とする請求項１または請求項２記載のＯＦＤＭ復調装置。
【発明の詳細な説明】
【技術分野】
【０００１】
本発明は、国内地上デジタル放送などで用いられるＯＦＤＭ（直交周波数分割多重：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式の復調装置に関し、特にクロック周波数同期における高速な引き込みと伝送路環境への追従性能の改善に関する。
【背景技術】
【０００２】
ＯＦＤＭ方式は、国内地上デジタル放送方式（ＩＳＤＢ−Ｔ：Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ  ｔｒａｎｓｍｉｓｓｉｏｎ、非特許文献１）や欧州地上デジタル放送方式（ＤＶＢ−Ｔ：Ｄｉｇｉｔａｌ  Ｖｉｄｅｏ  Ｂｒｏａｄｃａｓｔｉｎｇ−Ｔｅｒｒｅｓｔｒｉａｌ  ｔｒａｎｓｍｉｓｓｉｏｎ）などに採用されるマルチキャリアによるデジタル伝送方式である。
【０００３】
以下、図面を用いてＯＦＤＭ復調装置の構成例を示す。
【０００４】
図３は、ＯＦＤＭ復調装置の構成を示している。アンテナ３１により受信されたＯＦＤＭ信号は、チューナにより所望の周波数帯域の信号のみ取り出される。Ａ／Ｄ変換部３３は、チューナ３２から入力されるアナログ信号をデジタル信号へと変換する。直交検波部３４は、中間周波数帯域にあるＡ／Ｄ変換部３３の出力を、局部発振周波数（ｆｃ’）を基に所望の基底周波数帯域へと変換する。シンボルタイミング生成部３５は、直交検波出力からＯＦＤＭ信号の伝送シンボル境界を推定し、シンボルタイミング信号を生成する。クロック周波数誤差推定部３６は、直交検波出力より、サンプリングクロック周波数誤差を推定し、出力する。クロック生成部３７は、クロック周波数誤差推定部３６の出力に基づき発振周波数を制御し、クロックを発生する。クロック生成部３７で生成されたクロックは、復調装置各部へ入力される。フーリエ変換部３８は、直交検波部３４の出力を、シンボルタイミング生成部３５から入力されるシンボル切り出しタイミングに基づいて、フーリエ変換を行う。等化部３９は、フーリエ変換部３８の出力から伝送路特性を推定し、推定された伝送路特性を基に等化処理を行う。誤り訂正部３１０は、等化部３９から出力される信号に誤り訂正を施す。復号部３１１は、例えばＭＰＥＧ（Ｍｏｖｉｎｇ  Ｐｉｃｔｕｒｅ  Ｅｘｐｅｒｔｓ  Ｇｒｏｕｐ）方式などで符号化されたデータを復号し、映像・音声等のデータを再生する。表示装置３１２は、復号部３１１から出力される映像・音声等のデータをディスプレイ・スピーカ等により、視聴者に提供する。
【０００５】
以上のＯＦＤＭ復調装置の構成において、特にシンボル切り出し（シンボルタイミング生成）とクロック周波数同期について説明する。
【０００６】
図９（ａ）にＯＦＤＭ信号の構成を示す。ＯＦＤＭ信号の伝送シンボルは、ガードインターバルＴｇと有効シンボルＴｕにより構成される。復調装置においては、この伝送シンボルから有効シンボル期間のデータを切り出し、フーリエ変換を行う（シンボル切り出し）。この際、不正なタイミングで切り出しを行い、隣の伝送シンボルが切り出したデータに混入すると、シンボル間で干渉を起こし、信号品質が劣化する（シンボル間干渉）。また、サンプリング周波数ずれが存在する場合、ＯＦＤＭ信号の直交性がくずれ、サブキャリア間での干渉が発生し、信号品質劣化する（キャリア間干渉）。
【０００７】
特許文献１では、シンボル間干渉及びキャリア間干渉を低減するシンボル切り出し及びクロック周波数誤差補正技術について記載されている。
【０００８】
図５に特許文献１に記載される従来のＯＦＤＭ復調装置におけるシンボル切り出し及びクロック周波数誤差補正部の構成例を示す。直交検波部５１は、中間周波数帯域にあるＯＦＤＭ信号を、局部発振周波数（ｆｃ’）を基に所望の基底周波数帯域へと変換する。シンボルタイミング生成部５２は、直交検波部５１の出力から、伝送シンボル境界を推定し、シンボルタイミング信号を生成する。クロック周波数誤差推定部５３は、直交検波部５１及びシンボルタイミング生成部５２の出力に基づいて、サンプリングクロック周波数誤差を推定し、出力する。クロック発生部５４は、クロック周波数誤差推定部５３の出力に基づき発振周波数を制御し、クロックを発生する。クロック発生部５４により生成されたクロックは、復調装置各部へ入力される。フーリエ変換部５５は、直交検波部５１の出力を、シンボルタイミング生成部５２から入力されるシンボル切り出しタイミングに基づいて、フーリエ変換を行う。
【０００９】
図４にシンボルタイミング生成部５２の構成例を示す。遅延部４３は、直交検波部５１出力を有効シンボル区間Ｔｕ遅延する。共役複素数演算部４２は、遅延部４３の出力の共役複素数を演算する。複素乗算部４１は、直交検波部５１の出力と共役複素数演算部４２の出力との複素乗算を演算し、出力する。区間積分部４４は、ガードインターバル区間Ｔｇにわたり、複素乗算部４１の出力を積分する。最大値検出部４５は、区間積分部４４出力の電力を演算し、その最大値を検出し、最大値となる時刻をシンボル切り出しタイミングとして、シンボルタイミング信号を生成する。
【００１０】
以上のように構成されたシンボルタイミング生成部の動作について、図９を参照し説明する。図９（ａ）にＯＦＤＭ信号の伝送シンボルの構成を示す。ＯＦＤＭ伝送シンボルＴｓは、ガードインターバル区間Ｔｇ及び有効シンボル区間Ｔｕにより構成される。ガードインターバル区間Ｔｇは、例えば、ＩＳＤＢ−Ｔ方式においては、有効シンボル期間の後部のデータが複写される。図９（ｂ）は、遅延部４３の出力を示している。遅延部４３は、図９（ａ）に示されるＯＦＤＭ信号を有効シンボル区間Ｔｕだけ遅延し、出力する。このとき、遅延部４３の出力は、ガードインターバル区間において、図９（ａ）に示されるＯＦＤＭ信号と同一の信号となり、強い相関を持つ。
【００１１】
図９（ｃ）は、複素乗算部４１の出力を示している。遅延部４３の出力と直交検波部５１の出力は、ガードインターバル区間において、同一の信号であるために、複素乗算部４１の出力は、ガードインターバル区間において、実軸上に強い信号が存在する。
【００１２】
図９（ｄ）は、区間積分部４４の出力を示している。図９（ｃ）に示される複素乗算部４１の出力をガードインターバル区間Ｔｇにわたって積分することにより、図９（ｄ）に示す三角状の波形を得る。最大値検出部４５においては、相関波形の電力を演算し、その最大値を検出することで、ＯＦＤＭ信号の伝送シンボル境界を推定することが可能となる（図９（ｅ））。
【００１３】
図６にクロック周波数誤差推定部５３の構成例を示す。遅延部６１は、直交検波部５１出力を有効シンボル区間Ｔｕから、１サンプル区間を減じた区間、遅延する。フィルタ部６２、６３は、直交検波部５１の出力を各々異なる周波数領域の信号成分を通過させる。共役複素数演算部６４、６５は、フィルタ部６２、６３の出力の共役複素数を各々演算し、出力する。複素乗算部６６、６７は、直交検波出力と、共役複素数演算部６４、６５の出力の複素乗算を各々演算し、出力する。アークタンジェント演算部６１１、６１２は、区間積分部６８、６９の出力から位相情報を抽出し、出力する。加算部６１０は、アークタンジェント演算部６１２の出力から、アークタンジェント演算部６１１の出力を減算する。ループフィルタ部６１３は、シンボルタイミング生成部５２の出力時点で、加算部６１０の出力を取り込み、定められた時定数にてフィルタ処理を行う。
【００１４】
図７にフィルタ部６２の構成例を示す。フィルタ部６２は、遅延器７１と乗算器７２により構成される。
【００１５】
図８にフィルタ部６３の構成例を示す。フィルタ部６３は、遅延器８２、８３と乗算器８１、８４及び加算器８５により構成される。
【００１６】
以上のように構成されたクロック周波数誤差推定部により、サンプリング周波数誤差を推定することができる。
【００１７】
次に、特許文献２に記載されるＯＦＤＭ復調装置のクロック周波数誤差補正について、図面を参照して説明する。
【００１８】
図２は、特許文献２に記載されるＯＦＤＭ復調装置の構成例を示している。
【００１９】
直交検波部２１は、中間周波数帯域にあるＯＦＤＭ信号を、局部発振周波数（ｆｃ’）を基に所望の基底周波数帯域へと変換する。第１のシンボルタイミング生成部２２は、直交検波部５１の出力から、伝送シンボル境界を推定し、シンボルタイミング信号を生成する。第２のシンボルタイミング生成部２３は、定められた一定のクロック間隔でシンボルタイミング信号を生成する。時間誤差算出部２４は、第１のシンボルタイミング生成部２２の出力と第２のシンボルタイミング２３の時間誤差を算出し、出力する。クロック発生部２５は、時間誤差算出部２４の出力に基づき発振周波数を制御し、クロックを発生する。クロック発生部２５により生成されたクロックは、復調装置各部へ入力される。フーリエ変換部２６は、直交検波部２１の出力を、第２のシンボルタイミング生成部２３から入力されるシンボル切り出しタイミングに基づいて、フーリエ変換を行う。
【００２０】
シンボルタイミング生成部２２は、特許文献１記載のシンボルタイミング生成部と同様の構成とできるため、説明は省略する。
【００２１】
以上の構成によれば、シンボルタイミングが、一定クロック間隔となるよう制御されるため、結果として、クロック周波数誤差が補正される。
【００２２】
以上のように、特許文献１及び特許文献２記載のＯＦＤＭ復調装置によれば、シンボル間干渉及びキャリア間干渉を低減するＯＦＤＭ復調装置を構成することができる。
【特許文献１】特許第２７７４９６１号公報
【特許文献２】特許第２８７１６５５号公報
【非特許文献１】標準規格「地上デジタルテレビジョン放送の伝送方式」  ＡＲＩＢ  ＳＴＤ−Ｂ３１
【発明の開示】
【発明が解決しようとする課題】
【００２３】
しかしながら、前記従来の構成では、マルチパスなどの伝送路環境の変動に高速に追従できないという課題を有していた。
【００２４】
図１０にマルチパス環境におけるシンボル切り出しの原理図を示す。図１０（ａ）に示すＯＦＤＭ信号に、図１０（ａ）’に示す遅延波が付加されるものとする。遅延部４３出力（図１０（ｂ））は、主波及び遅延波のガードインターバル区間において、相関を持つ。
【００２５】
このとき複素乗算部４１及び区間積分部４４の出力は、各々図１０（ｃ）、図１０（ｄ）となる。例えば、最大値によりシンボルタイミングを検出を行う場合、図１０（ｅ）に示すように最大値が一意に求まらず、遅延波の遅延量に応じてシンボルタイミングが変動する。また、最大値以外の検出方法にて、シンボルタイミングを一意に定めた場合においても、例えば、移動環境のように、遅延波の電力、遅延時間が変動する場合においては、シンボルタイミングが変動する。
【００２６】
以上のように、シンボルタイミングが変動する環境おいて、特許文献１記載のＯＦＤＭ復調装置においては、フーリエ変換部に入力されるシンボルタイミングの間隔が一定のクロック数とならない場合が存在する。シンボル間隔が保証されない場合、フーリエ変換部以降のタイミング設計及び回路設計が複雑化し、回路規模が増大するという課題を有していた。
【００２７】
特許文献２記載のＯＦＤＭ復調装置においては、シンボル間隔を保証し、クロック周波数を制御することで、伝送路環境の変動に追従するよう工夫されている。しかしながら、シンボルタイミングの時間位置を移動する際には、本来のクロック周波数と異なるクロック周波数を設定する必要があり、このクロック周波数誤差により、キャリア間干渉が発生する。キャリア間干渉を避けるためには、クロック周波数の制御量を抑える必要があり、結果、伝送環境への追従性能が劣化する。
【課題を解決するための手段】
【００２８】
前記従来の課題を解決するため、本発明に係るＯＦＤＭ復調装置は、有効シンボル区間Ｔｕとガードインターバル区間Ｔｇからなる伝送シンボルにより構成されるＯＦＤＭ信号を受信し、復調を行うＯＦＤＭ復調装置であって、前記ＯＦＤＭ信号を定められた基底周波数帯域に変換する直交検波部と、前記直交検波部の出力より前記ＯＦＤＭ信号の伝送シンボル境界を推定し、シンボルタイミング信号を生成する第１のシンボルタイミング生成部と、前記直交検波部の出力及び前記第１のシンボルタイミング生成部の出力に基づいて、サンプリングクロック周波数誤差を推定するクロック周波数誤差推定部と、前記クロック周波数誤差推定部により推定されたクロック周波数誤差に基づき発振周波数の制御を行う第１のクロック発生部と、定められた一定のクロック間隔でシンボルタイミング信号を生成する第２のシンボルタイミング生成部と、前記第１のシンボルタイミング生成部により生成されたシンボルタイミングと前記第２のシンボルタイミング生成部により生成されたシンボルタイミング信号の時間誤差を算出する時間誤差算出部と、前記時間誤差算出部により算出された時間誤差に基づき発振周波数の制御を行う第２のクロック発生部と、前記第１のクロック発生部により生成されたクロックタイミングにおいて、前記直交検波部の出力を順次メモリに書き込み、前記第２のクロック発生部により生成されたクロックタイミングにおいて、前記メモリから順次データを読み出すＦＩＦＯ（Ｆｉｒｓｔ−Ｉｎ  Ｆｉｒｓｔ−Ｏｕｔ）メモリ部と、前記ＦＩＦＯメモリ部の出力を前記第２のシンボルタイミング生成部により生成されたシンボルタイミングに基づいてフーリエ変換を行うフーリエ変換部を具備することを特徴とする。
【００２９】
また、有効シンボル区間Ｔｕとガードインターバル区間Ｔｇからなる伝送シンボルにより構成されるＯＦＤＭ信号を受信し、復調を行うＯＦＤＭ復調装置であって、前記ＯＦＤＭ信号を定められた基底周波数帯域に変換する直交検波部と、前記直交検波部の出力より前記ＯＦＤＭ信号の伝送シンボル境界を推定し、シンボルタイミング信号を生成する第１のシンボルタイミング生成部と、第１のクロック発生部と、定められた一定のクロック間隔でシンボルタイミング信号を生成する第２のシンボルタイミング生成部と、前記第１のシンボルタイミング生成部により生成されたシンボルタイミングと前記第２のシンボルタイミング生成部により生成されたシンボルタイミング信号の時間誤差を算出する時間誤差算出部と、前記時間誤差算出部により算出された時間誤差に基づき発振周波数の制御を行う第２のクロック発生部と、前記第１のクロック発生部により生成されたクロックタイミングにおいて、前記直交検波部の出力を順次メモリに書き込み、前記第２のクロック発生部により生成されたクロックタイミングにおいて、前記メモリから順次データを読み出すＦＩＦＯ（Ｆｉｒｓｔ−Ｉｎ  Ｆｉｒｓｔ−Ｏｕｔ）メモリ部と、前記ＦＩＦＯメモリ部の出力を前記第２のシンボルタイミング生成部により生成されたシンボルタイミングに基づいてフーリエ変換を行うフーリエ変換部と、前記フーリエ変換部の出力より、サンプリングクロック周波数誤差を推定するクロック周波数誤差推定部を具備し、前記第１のクロック発生部は、前記周波数誤差推定部の出力に基づき発振周波数を制御することを特徴とする。
【００３０】
また、前記ＦＩＦＯメモリ部は、前記ガードインターバル区間Ｔｇにおいて、データの書き込みを停止、若しくは、データの読み出しを停止し、前記メモリに蓄積されるデータ量を調整することを特徴とする。
【発明の効果】
【００３１】
本発明に係るＯＦＤＭ復調装置においては、キャリア間干渉を発生することなく高速に伝送路環境の変動に追従するクロック周波数同期を実現する。また、同期部において、１伝送シンボル間隔のクロック数を保証することで、フーリエ変換部以降のタイミング設計・回路設計を容易化し、回路規模の削減を実現する。
【発明を実施するための最良の形態】
【００３２】
以下、本発明の実施の形態について、図面を参照しながら説明する。
【００３３】
（実施の形態）
図１に本発明の実施の形態におけるＯＦＤＭ復調装置におけるシンボル切り出し及びクロック周波数誤差補正部の構成例を示す。直交検波部１１は、中間周波数帯域にあるＯＦＤＭ信号を、局部発振周波数（ｆｃ’）を基に所望の基底周波数帯域へと変換する。第１のシンボルタイミング生成部１２は、直交検波部１１の出力から伝送シンボル境界を推定し、シンボルタイミング信号を生成する。クロック周波数誤差推定部１３は、直交検波部１１及び第１のシンボルタイミング生成部１２の出力に基づいて、サンプリングクロック周波数誤差を推定し、出力する。第１のクロック発生部１４は、クロック周波数誤差推定部１３の出力に基づき、発振周波数を制御し、クロックを生成する。クロック発生部１４で生成されたクロックは、ＡＤ変換部（図示せず）、直交検波部１１、シンボルタイミング生成部１２、クロック周波数誤差推定部１３及びＦＩＦＯメモリ部１８に入力される。第２のシンボルタイミング生成部１５は、あらかじめ定められた一定のクロック間隔で、シンボルタイミング信号を生成する。通常、クロック間隔は、伝送シンボルに含まれるサンプル数に設定される。時間誤差算出部１６は、第１のシンボルタイミング生成部１２と、第２のシンボルタイミング生成部１５との時間誤差を算出し、出力する。第２のクロック発生部１７は、時間誤差算出部１６の出力に基づいて発振クロック周波数を制御し、クロックを発生する。第２のクロック発生部１７により生成されたクロックは、ＦＩＦＯメモリ部１８、フーリエ変換部１９、第２のシンボルタイミング生成部１５、時間誤差算出部１６及びフーリエ変換部以降の信号処理部（等化部、誤り訂正部：図示せず）に入力される。ＦＩＦＯ（Ｆｉｒｓｔ−Ｉｎ  Ｆｉｒｓｔ−Ｏｕｔ）メモリ部１８は、第１のクロック発生部から出力されるクロックタイミングに応じて、直交検波部１１の出力を順次メモリに書き込み、第２のクロック生成部１７から出力されるクロックタイミングに応じて順次メモリからデータを読み出し、出力する。フーリエ変換部１９は、ＦＩＦＯメモリ部１８の出力を第２のシンボルタイミング生成部１５のシンボルタイミングに基づいてフーリエ変換を行う。
【００３４】
以上のように構成されたＯＦＤＭ復調装置について、その動作を説明する。
【００３５】
第１のシンボルタイミング生成部１２及びクロック周波数誤差推定部１３は、特許文献１記載のＯＦＤＭ復調装置と同様の構成とすることができる。第１のクロック発生部から出力されるクロックは、シンボルタイミングの時間位置とは無関係にクロック周波数誤差推定部の出力によってのみ制御される。クロック周波数誤差が極小となるよう制御を行うことで、クロック周波数誤差によるキャリア間干渉を低減した信号を得ることができる。
【００３６】
第２のクロック発生の原理を図１１に示す。第１のシンボルタイミングは、受信されたＯＦＤＭ信号から推定された伝送シンボル境界である。第２のシンボルタイミングは、一定のクロック間隔で発生される。第１のシンボルタイミングと第２のシンボルタイミングの時間位置を比較し、第１のシンボルタイミングが第２のシンボルタイミングに対して時間的に先行する場合は、第２のクロック発生部の発振周波数上げ、第１のシンボルタイミングが第２のシンボルタイミングに対して、時間的に遅延する場合は、第２のクロック発生部のクロック周波数を下げる。以上の動作を繰り返すことで、第２のシンボルタイミングのクロック間隔を変更することなく、第１のシンボルタイミングと第２のシンボルタイミングを同一にすることができる。
【００３７】
本発明に係るＯＦＤＭ復調装置においては、第１のクロック発生部によりクロック周波数誤差を極小化し、キャリア間干渉を低減する。また、第２のクロック生成部により、伝送シンボル間隔内のクロック数を保証し、フーリエ変換部以降の信号処理回路のタイミング設計を容易化し、回路規模を削減できる。第１のクロックと第２のクロック間のデータ転送にはＦＩＦＯメモリを用いることで、信号品質を劣化させることなくクロック間のデータ転送が可能となっている。なお、ガードインターバル期間においてＦＩＦＯメモリの書き込み若しくは読み出しを停止することで、メモリに蓄積されるデータ量を調整することで、ＦＩＦＯメモリに必要なメモリ容量を削減することができる。
【００３８】
以上の構成によるＯＦＤＭ復調装置においては、第２のクロック発生部の変動量を大きくとった場合においても、キャリア間干渉による信号品質劣化の恐れがない。このことから、伝送路環境の変動により、第１のシンボルタイミングが変動した場合においても、高速な追従が可能となる。
【００３９】
なお、クロック周波数誤差補正部は、フーリエ変換部の後段に配置し、例えば、パイロット信号の位相変動量などからクロック周波数誤差を推定することも可能である。
【産業上の利用可能性】
【００４０】
本発明に係るＯＦＤＭ復調装置は、伝送路環境の変動に高速追従可能な国内地上デジタル放送の復調装置等として有用である。また欧州地上デジタル放送等、ＯＦＤＭ方式を採用する伝送方式の復調装置の用途にも応用できる。
【図面の簡単な説明】
【００４１】
【図１】本発明の実施の形態に係るＯＦＤＭ復調装置の構成図
【図２】従来のＯＦＤＭ復調装置の構成図
【図３】ＯＦＤＭ復調装置の全体構成図
【図４】シンボルタイミング生成部の構成図
【図５】従来のＯＦＤＭ復調装置の構成図
【図６】クロック周波数誤差推定部の構成図
【図７】第１のフィルタ部の構成例を示す図
【図８】第２のフィルタ部の構成例を示す図
【図９】シンボルタイミング生成の動作原理図
【図１０】マルチパス環境下におけるシンボルタイミング生成の動作原理図
【図１１】第２のクロック発生部の動作原理図
【符号の説明】
【００４２】
１１    直交検波部
１２    第１のシンボルタイミング生成部
１３    クロック周波数誤差推定部
１４    第１のクロック発生部
１５    第２のシンボルタイミング生成部
１６    時間誤差算出部
１７    第２のクロック発生部
１８    ＦＩＦＯメモリ部
１９    フーリエ変換部
２１    直交検波部
２２    第１のシンボルタイミング生成部
２３    第２のシンボルタイミング生成部
２４    時間誤差算出部
２５    クロック発生部
２６    フーリエ変換部
３１    アンテナ
３２    チューナ
３３    Ａ／Ｄ変換部
３４    直交検波部
３５    シンボルタイミング生成部
３６    クロック周波数誤差推定部
３７    クロック生成部
３８    フーリエ変換部
３９    等化部
３１０    誤り訂正部
３１１    復号部
３１２    表示装置
４１    複素乗算部
４２    共役複素数演算部
４３    遅延部
４４    区間積分部
４５    最大値検出部
５１    直交検波部
５２    シンボルタイミング生成部
５３    クロック周波数誤差推定部
５４    クロック発生部
５５    フーリエ変換部
６１    遅延部
６２，６３    フィルタ部
６４，６５    共役複素数演算部
６６，６７    複素乗算部
６８，６９    区間積分部
６１０    加算部
６１１，６１２    アークタンジェント演算部
６１３    ループフィルタ部
７１    遅延器
７２    乗算器
８１    乗算器
８２，８３    遅延器
８４    乗算器
８５    加算器
【図１】
2005322955.tif 000003
【図２】
2005322955.tif 000004
【図３】
2005322955.tif 000005
【図４】
2005322955.tif 000006
【図５】
2005322955.tif 000007
【図６】
2005322955.tif 000008
【図７】
2005322955.tif 000009
【図８】
2005322955.tif 000010
【図９】
2005322955.tif 000011
【図１０】
2005322955.tif 000012
【図１１】
2005322955.tif 000013